(57)【要約】  プランジャ（３）を摺動可能に収容するように構成されたシリンジ本体（２）であって、針（６）の基端部（５）との嵌合を可能とするよう構成された突出端部を有するシリンジ本体（２）と、シリンジ本体（２）と針（６）の基端部（５）との間に介在される、針を取り外すための針取外し手段（８）とを備える、使用時に安全性が高いシリンジ（１）を提供する。前記針取外し手段（８）は、針（６）及び／又は針の保護キャップ（７）を取り外すための回転方向に動かされるように構成されている。【選択図】図１
2018512979.tif 000002
【特許請求の範囲】
【請求項１】
プランジャ（３）を摺動可能に収容するように構成されたシリンジ本体（２）であって、針（６）の基端部（５）との嵌合を可能とするよう構成された突出端部を有するシリンジ本体（２）を備える、使用時に安全性が高いシリンジ（１）において、
前記シリンジ本体（２）と前記針（６）の前記基端部（５）との間に介在される、前記針及び／又は前記針の保護キャップ（７）を取り外すための針取外し手段（８）を備え、
前記針取外し手段（８）が、前記針（６）及び／又は前記針の前記保護キャップ（７）を取り外すための回転方向に動かされるように構成されていることを特徴とする、シリンジ。
【請求項２】
前記針取外し手段（８）が、前記シリンジ本体の前記端部に嵌合されるように構成され且つ内部にて前記針（６）の前記基端部（５）との係合を可能にするように構成された管状体を備える、請求項１に記載のシリンジ。
【請求項３】
前記管状体（８）が、その内部にて前記針の前記基端部（５）の螺合を可能にすることを特徴とする、請求項２に記載のシリンジ。
【請求項４】
前記シリンジ（１）に向く側の前記管状体（８）の穴の直径が、前記シリンジの前記突出端部に接続される前記針（６）の前記基端部（５）の穴と同等又はそれよりも大きいことを特徴とする、請求項１〜３のいずれか一項に記載のシリンジ。
【請求項５】
前記管状体（８）と、前記針に取り付けられた前記キャップ（７）との間に、ワッシャ（１１）を備えることを特徴とする、請求項１〜４のいずれか一項に記載のシリンジ。
【請求項６】
前記管状体（８）が、前記針の前記基端部に画定された翼部（９）の係合を可能にするように構成されたスロット（１０）を有することを特徴とする、請求項１〜５のいずれか一項に記載のシリンジ。
【請求項７】
前記管状体（８）が、前記シリンジ本体（２）上をスライドするように構成されていることを特徴とする、請求項１〜６のいずれか一項に記載のシリンジ。
【発明の詳細な説明】
【技術分野】
【０００１】
本発明は、安全性の高いシリンジに関する。より詳細には、本発明は、施術者の側についていうと、針の先端を施術者自身に穿刺してしまうことによって施術者を偶発的に負傷させる危険性なしに、片手で針を取り外すことができる器具を有するシリンジに関する。
【背景技術】
【０００２】
周知の如く、現在、シリンジから針を取り外すことができるようにするために、施術者は両手を使用する。すなわち、一方の手をシリンジの本体を保持するために用い、もう一方の手をシリンジの本体から針を取り外すために用いる。
【０００３】
しかし、両手を用いてこのような操作を行うことは常にできるわけではなく、さらに、この操作は効果の観点から実用的であるとは限らないことに留意すべきである。
【０００４】
医療関係施術者に生じる可能性がある他の問題は、注射を行うことができるようにするためにシリンジの針を保護するキャップを取り外す必要があることである。
【０００５】
この場合、医療関係施術者は、シリンジを一方の手で把持しているが他方の手が塞がっていることが分かっている場合がしばしばある。この場合、針からキャップを取り外すことができるようにするには、施術者は助手の助けを借りなければならず、或いは、施術者は口でキャップをくわえてシリンジから取り外すことが強く求められる。もちろん、これは安全上、高い危険性を伴う。
【発明の概要】
【発明が解決しようとする課題】
【０００６】
本発明の課題は、使用者が片手で針及び／又は関連するキャップを取り外す操作を行うことを可能にする、使用時に安全性が高いシリンジを提供することである。
【０００７】
この課題の範囲内で、本発明は、使用者が絶対的に安全な状態で針及び／又はそのキャップを取り外すことを可能にし、偶発的な穿刺を避けることができる、使用時に安全性が高いシリンジを創案することを目的としている。
【０００８】
本発明の別の目的は、信頼性が高く、比較的簡単に製造することができ、さらに競争力のあるコストで製造することができる、使用時に安全性が高いシリンジを創案することである。
【課題を解決するための手段】
【０００９】
上記課題、並びに以下でさらに明らかになる上記目的及び他の目的は、プランジャを摺動可能に収容するように構成され、針の基端部との嵌合を可能とするよう構成された突出端部を有するシリンジ本体を備える、使用時に安全性が高いシリンジにおいて、前記シリンジ本体と前記針の前記基端部との間に介在される、前記針を取り外すための針取外し手段を備え、該針取外し手段が、前記針及び／又は前記針の保護キャップを取り外すための回転方向に動かされるように構成されていることを特徴とする、シリンジにより達成される。
【００１０】
本発明のさらなる特徴および利点は、添付図面に非限定的な例として示された本発明によるシリンジの好ましいが限定的ではない実施形態の説明からより明らかになるであろう。
【図面の簡単な説明】
【００１１】
【図１】本発明によるシリンジの分解斜視図である。
【図２】図１の拡大部分分解斜視図である。
【図３】本発明によるシリンジの断面図である。
【図４】図３の拡大部分断面図である。
【発明を実施するための形態】
【００１２】
図面を参照すると、参照符号１で全体的に示される本発明によるシリンジは、プランジャ３がその中でスライドするシリンジ本体２を備える。シリンジ本体２はその一端にて、針６の基端部５と嵌合するように構成された略切頭円錐状の断面部分４で終端しており、針６はキャップ７によって保護される。
【００１３】
本発明によるシリンジは、シリンジ本体２と針６の基端部５との間に、回転され得るように構成され且つ針６及び／又はキャップ７の取外しを可能にするように構成された針取外し手段８を有する。
【００１４】
実際には、針取外し手段８は、シリンジ本体２の端部、より詳細にはシリンジの部分４に連結されるように構成された中空の管状体によって構成されており、この管状体は、その中で針６の基端部５の螺合又は係合を可能とするように構成されている。
【００１５】
したがって、基端部５を有する針６は、管状体８にねじ込むことができ、又は、針６を取り外すための針取外し手段を構成する管状体８に形成された対応のスロット１０と係合する針６の基端部５の翼部９によって相互結合されることができる。
【００１６】
管状体８と針６の基端部５との間にワッシャ１１を設置することができ、このワッシャ１１は、管状体８を、針６からキャップ７を取り外すために針のキャップ７に当接させることができる。
【００１７】
シリンジ本体２に向く側の管状体８の穴の直径は、針の基端部５の穴の直径以上である。
【００１８】
別の実施形態では、管状体８は、シリンジ本体２の端部４に接続される代わりに、シリンジ本体２上でスライドさせることができるように形作ることができる。
【００１９】
本発明によるシリンジの使用は以下の通りである。
【００２０】
施術者は、シリンジ本体２の端部上でスライドさせることができる管状体８を片手で把持すると共に、指で管状体８を回すことによって、シリンジ本体２の端部に嵌挿された針を、シリンジから針を容易に取り外すことができるように回転させることができる。
【００２１】
管状体８が、例えばワッシャ１１を介在させることによって、針のキャップ７にも当接する場合、施術者は片手で針のキャップを取り外すことができる。ワッシャ１１が存在する場合、管状体８が動かされると、ワッシャ１１はキャップ７の基部に当接してこれを取り外す。
【００２２】
管状体８が針の基部に螺合され、針の基部上で管状体を動かす（ねじる）ことによって針のキャップを取り外すことができる場合、管状体はシリンジのキャップ７の端部に当接しそれを針から外す。
【００２３】
管状体８が針の基部上に螺合され、針の基部上で管状体を動かす（ねじる）ことによって針又は針のキャップを取り外すことができる場合、最初、管状体はシリンジのキャップ７の端部に当接しそれを針７から外し、次いで、管状体をねじり続けることによって、管状体８がそのストロークの終点に達する。このようになったならば、施術者は、管状体をねじり続けることによって、針６をシリンジの突出端部上で回転させ、シリンジから針６を管状体と共に容易に取り外す（管状体８及び針６をシリンジから取り外す）ことができる。
【００２４】
施術者は、シリンジ本体２の端部上でスライドさせることができる管状体８を片手で交互に把持し指でそれを回すことによって、管状体がシリンジの端部に当接した後、管状体を回し続けることによって、管状体が十分に長い場合には、シリンジ本体の端部に嵌合された針を外方に押し、最終的にシリンジから取り外させる。
【００２５】
実際に、本発明によるシリンジは、偶発的な穿刺の危険なしに片手で針及び／又はそのキャップを取り外すことを可能にするので、意図された目的及び課題を完全に達成することが分かった。
【００２６】
このようにして創案されたシリンジは、多くの変更や変形が可能であり、これらの全てが添付の特許請求の範囲の範囲内である。
【００２７】
各要素の全てが技術的に等価な他の要素に置き換えられてもよい。
【００２８】
実際に、使用される材料並びに付随的な形状及び寸法は、条件や当該技術に応じて任意であり得る。
【００２９】
本願が優先権を主張するイタリア特許出願第ＭＩ２０１５Ａ０００５８７号（１０２０１５９０２３４６４１４）の開示内容は、参照により本明細書に組み込まれる。
【００３０】
特許請求の範囲に記載された技術的特徴の後に参照符号を付した場合、これらの参照符号は特許請求の範囲の明瞭性を高める目的のためにのみ含まれているので、そのような参照符号はそのような参照符号によって例として示される各要素の解釈にいかなる影響を与えるものではない。
【図１】
2018512979.tif 000003
【図２】
2018512979.tif 000004
【図３】
2018512979.tif 000005
【図４】
2018512979.tif 000006
【国際調査報告】
2018512979.tif 000007
2018512979.tif 000008